(57)【特許請求の範囲】
【請求項１】
混合ボウル（６０）の支持台（３０）、ボウル（６０）の頭上に配設され、ボウル内に懸架された器具に遊星混合作用を加えることができる駆動口（４４）をもつ電気モーター／駆動システム、および使用者の選択に従って、ボウル（６０）内の、遊星混合作用を受けている食材成分を加熱できる加熱手段を有し、そしてさらに上記ボウルの安全装置（７０、８０）を有するスタンド式ミキサー（１０）であって、この安全装置が、上記駆動口（４４）に近接してスタンド式ミキサー（１０）に着脱自在に取り付けることができる第１部材（７０）、およびこの第１部材（７０）に着脱自在に取り付けることができる第２部材（８０）を有し、そして上記第１部材（７０）によりスタンド式ミキサー（１０）の要部を熱から遮断するとともに、上記第２部材（８０）により、蒸気の望ましくない逃げ出しを防止できるように構成し、および／または食材成分がボウル（６０）から飛び散ることを防止できるように構成したことを特徴とするスタンド式ミキサー。
【請求項２】
第１部材（７０）を熱シールドとしてのみ使用できるように構成してボウル（６０）を開放状態におき、蒸気がこれから逃げ出すことができるようにするか、第１部材を第２部材（８０）と一体化してボウル（６０）をカバーできるように構成した請求項１に記載のスタンド式ミキサー。
【請求項３】
第１部材（７０）の形状および寸法について、ボウル（６０）の頭上にあるスタンド式ミキサー（１０）の垂下部分（４３）に締まり嵌めできるように設定した請求項１または２に記載のスタンド式ミキサー。
【請求項４】
上記締まり嵌めを蒸気に対して不透過な弾性シールによって補強した請求項３に記載のスタンド式ミキサー。
【請求項５】
第１および第２部材（７０、８０）の取り付け面（７１、８１）を第１部材（７０）によって支持されるシール（７７）によって分離した請求項１〜４のいずれか１項に記載のスタンド式ミキサー。
【請求項６】
第２部材（８０）に、ボウル（６０）から第２部材（８０）を取り外す必要なく、食材成分を追加することができる開閉自在な開口（８２）を設けた請求項１〜５のいずれか１項に記載のスタンド式ミキサー。
【請求項７】
ボウル（６０）に露出する第２部材（８０）の表面について、凝縮物のボウルへの戻りを促進できる形状に設定した請求項１〜６のいずれか１項に記載のスタンド式ミキサー。
【請求項８】
ボウル（６０）が金属製である請求項１〜７のいずれか１項に記載のスタンド式ミキサー。
【請求項９】
ボウル（６０）の形状を既存のスタンド式ミキサーの設計および形状に合わせ、従来からの混合器具を利用できるようにした請求項８に記載のスタンド式ミキサー。
【請求項１０】
ボウル（６０）、または少なくともその一部を異なる材料のサンドイッチ構成にし、食材成分への熱伝達を強化した請求項８または９に記載のスタンド式ミキサー。
【請求項１１】
ボウル（６０）の少なくとも内外壁をステンレス鋼で構成し、その間にアルミニウムの中間層を設けた請求項１０に記載のスタンド式ミキサー。
【請求項１２】
安全装置（７０、８０）の少なくとも第１部材（７０）がスタンド式ミキサー（１０）上の所定位置にない限り、加熱手段を付勢できないように接続した装置からなる請求項１〜１１のいずれか１項に記載のスタンド式ミキサー。
【発明の詳細な説明】
【技術分野】
【０００１】
本発明は、スタンド式ミキサーを始めとする調理装置に関する。なお、このミキサーは、混合ボウルなどの容器の頭上において、電気モーターおよび駆動口を有する駆動系も支持する支持台に支持され、頭上の駆動口からボウル内に懸架装着される装置に遊星ミキシング作用を作用させるものである。
【背景技術】
【０００２】
Ｋｅｎｗｏｏｄ  Ｃｈｅｆ  Ｋｉｔｃｈｅｎ装置などのスタンド式ミキサーは公知であり、ここ何年も使用方法が確立されている。また、今までもこの形式のミキサーついては、かってないほどの多種多様の機能を発揮できるように開発が重ねられ、多くのこのような装置には、例えば異なる速度で動作できる上に、異なるトルク特性をもつことができるため、多種多様の操作を可能にする、選択使用が可能な複数の駆動口を組み入れている。
【０００３】
スタンド式ミキサーに加熱構成を組み込むことが提案されている間、近年の技術開発によりこのミキサーはより多様な操作性をもつようになり、これによって、スタンド式ミキサーの通常の遊星混合作用によって食材が撹拌または混合されている状態で、これを加熱することができる。加熱構成については、使用者の必要性に従って使用・不使用が判断されるものであることは言うまでもなく、加熱温度および加熱時間はいずれも調節可能であり、目的の加熱度を設定できる。例えば、食材成分を完全調理するか、部分調理するか、あるいは単に加温するかによって設定できる。
【０００４】
好適な実施態様では、加熱手段をスタンド式ミキサーに直接組み込む。なお、加熱手段のヒーターについては、食材成分を容れたボウルまたはその他の容器に組み込むことが可能である。また、ボウルおよびスタンド式ミキサーの両者とは別体であるが、加熱機能が必要な場合に、両者の間に介在させるなどによって、一時的に加熱できるように加熱パッドにヒーターを配設することも可能である。
【先行技術文献】
【特許文献】
【０００５】
【特許文献１】ＵＫ特許出願第ＧＢ０８０３３２５．０号
【発明の概要】
【発明が解決しようとする課題】
【０００６】
いずれの場合も、望ましくない蒸気の逃げ出しを抑制する目的から、および／または食材成分が加熱および／または撹拌状態にあるボウルまたは他の容器から食材の飛散を防止する目的から、安全装置を利用することが望まれている。このような安全装置への需要はかなり高く、本発明の目的は、いくつかのこのような需要に対処できる安全装置を備えたスタンド式ミキサーを提供することである。
【課題を解決するための手段】
【０００７】
すなわち、本発明は、混合ボウルの支持台、ボウルの頭上に配設され、ボウル内に懸架された器具に遊星混合作用を加えることができる駆動口をもつ電気モーター／駆動システム、および使用者の選択に従って、ボウル内の、遊星混合作用を受けている食材成分を加熱できる加熱手段を有し、そしてさらに上記ボウルの安全装置を有するスタンド式ミキサーであって、この安全装置が、上記駆動口に近接してスタンド式ミキサーに着脱自在に取り付けることができる第１部材、およびこの第１部材に着脱自在に取り付けることができる第２部材を有し、そして上記第１部材によりスタンド式ミキサーの要部を熱から遮断するとともに、上記第２部分により、蒸気の望ましくない逃げ出しを防止できるように構成し、および／または食材成分がボウルから飛び散ることを防止できるように構成したスタンド式ミキサーを提供するものである。本発明によれば、上記第１部材を熱シールドとして所定位置に配置した状態で、ボウルを開くことができるため、蒸気をこれから逃がすことができ、あるいは両部材を所定位置に設置し、ボウルを有効にカバーできる自由度を設定できる。
【０００８】
第１部材の形状および寸法については、ボウルの頭上にあるスタンド式ミキサーの垂下部分に締まり嵌めできるように設定するのが好ましく、そしてこの締まり嵌め作用を、第１部分がもつ耐蒸気シールによって補強することが好ましい。
【０００９】
第２部材に閉じることができる開口を設けることが好ましく、こうすると、第２部材を取り外すことなく食材成分を加えることができる。また、一部の実施態様の場合、第２部材に蒸気を調節した状態で外に出す通気口を設けることが好ましい。
【００１０】
ボウルに露出される第２部材の表面の形状については、凝縮物のボウル内への戻りを促進するように設定するのが好ましい。
【００１１】
ボウルを金属で構成するのが有利である。このように構成すると、ボウルを既存のスタンド式ミキサーの設計／形状基準に合わせることができ、従来からの混合器具を利用することができる。
【００１２】
ボウル、またはその少なくとも一部については、複数の材料からなるサンドイッチ構成にしてもよく、ボウル内部の食材成分への熱伝達を促進することができる。例えば、ボウルの少なくとも一部については、内外壁および／または底部をステンレス鋼で構成し、その間にアルミニウムを配設することができる。
【００１３】
スタンド式ミキサーには、掻き出し器具を配設でき、この器具はギヤボックスハブに取り付けることができ、回転速度を遊星作用混合器具よりも遅く設定する。この掻き出し器具の形状については、ボウル壁から食材成分を掻き出し、粘着性材料の焼き付く危険または過熱する危険を抑制する形状に設定する。
【００１４】
加熱手段は、例えばシース式抵抗素子、厚膜ヒーター、誘導ヒーターまたはハロゲンヒーターまたはこれらを組み合わせたものから構成することができる。
【００１５】
連動装置（ｉｎｔｅｒｌｏｃｋ）を設け、これによって、安全装置の少なくとも第１部材がスタンド式ミキサーの所定位置にない限り、加熱手段が付勢しないように構成するのが好適である。
【００１６】
ボウルは、従来からのねじ固定またはバヨネット（ｂａｙｏｎｅｔ）固定によって支持台に係合することができる。
【００１７】
以下、当業者による本発明の理解を助けるために、また本発明の実施を容易にするために、いくつかの実施態様を例示のみを目的として添付図面を参考にして説明する。
【図面の簡単な説明】
【００１８】
【図１】本発明の構成に使用するのに好適なスタンド式ミキサーの一例を示す斜視図である。
【図２】図１のスタンド式ミキサーを示す正面図である。
【図３】本発明構成の一例の第１部材として形成した加熱安全装置を示す、下側からみた図である。
【図４】スタンド式ミキサーに適用した図３の加熱安全装置を示す図である。
【図５ａ】図３および図４の加熱防止安全装置を示す図であり、上から見た状態にある。
【図５ｂ】本発明構成の一例の第２部材として形成した飛散防止安全装置を示す図であり、上から見た状態にある。
【図６】図５ｂの飛散防止安全装置を示す上面図である。
【図７】密閉位置にある、即ち準備状態にあるスタンド式ミキサーに適用した図３〜６の構成における第１部材および第２部材を示す図である。
【図８】開放位置にある、即ちスタンド式ミキサーのボウル内で食材成分を撹拌する器具を装着できる状態にあるスタンド式ミキサーに適用した図３〜６の構成における第１部材および第２部材を示す図である。
【発明を実施するための形態】
【００１９】
以下、図１および図２について説明するが、同じ部材は同じ参照符号で示す。スタンド式ミキサー１０は、ボウル支持台３０およびハウジング４０を支持する支持台２０を有する。ハウジング４０内部には、直立ケーシング部分４６かヘッダーユニット４８のいずれかにおいて、多様な調理動作を行う各種の器具を取り付けることができる複数の駆動口に動力を与える電動モーター／ギヤ装置（図示省略）を装入する。
【００２０】
この具体的な実施例では、カバー４１の後ろに高速ブレンダー駆動口を、カバー４２の後ろに低速ミンチ駆動口を、そしてギヤボックスケーシング４３の下に遊星駆動口４４を設ける。遊星駆動は、食材混合を対象とするもので、従ってボウル位置の頭上に位置する。なお、スタンド式ミキサーの意図する機能に応じて、駆動口の個数を加減でき、また異なる駆動口を利用できることはいうまでもない。
【００２１】
出口４４内のソケットに、従来と同様にして取り付けられるシャンク式混合器具は、使用時には、ボウル支持台３０に置かれる混合ボウル内に垂下するもので、その形状については、ソケット４４の軸線および中心軸線４５の両者のまわりで回転して、遊星混合作用を行うように構成する。食材成分の完全かつ反復可能な混合を確保するボウルおよび混合器具の相対的な形状および寸法間の必要な関係は公知であり、長年にわたる使用において確立されている。
【００２２】
図１および図２に示されているように、スタンド式ミキサー１０には、この実施例では、ボウル支持台３０に設けられた凹部３３内に一対のラッチ３１、３２を設ける。これらラッチは、ボウル底部の各部材と連動して、ボウルのボウル支持台への確実かつ容易な載置を確保するバヨネット式ラッチシステムを形成する。例えばネジ係合などの他のラッチシステムも、好ましい場合にはバヨネット式ラッチシステムの代わりに使用することができる。
【００２３】
ハウジング４０の直立部分４６には、分離線４７を設けているため、スタンド式ミキサーのヘッダー部分４８を支持台２０のボウル支持台３０の端部からヒンジ作用により離間でき、従って混合器具およびボウルの装着および取り外しが容易になる。
【００２４】
スタンド式ミキサー１０には、また、従来の方法で、使用者が操作できる電気式／機械式の制御部５１、５２を取り付ける。
【００２５】
支持台２０のボウル支持台３０の下には、ボウル内の食材成分を調理できる十分な熱を発生できる加熱手段（図示省略）を設ける。例えば、そして実際には好ましいのだが、ボウルについては金属製にし、加熱手段については誘導ヒーターを用いる。なお、厚膜ヒーター、ハロゲンヒーターや適当な構成のシース式抵抗ヒーターなどの他の、あるいは追加的な加熱技術も利用可能である。
【００２６】
望ましい場合には、加熱手段を比較的低ワット数、および高ワット数に設定してもよく、こうすると、低速調理プログラムだけでなく、独自な調理プログラムにスタンド式ミキサーを使用することができる。なお、この状況下では、比較的高ワット数のヒーター素子のごく一部を付勢するだけで比較的低いワット数に設定できることはいうまでもない。あるいは、別な素子によってか、単独素子への給電を周期的に中断することによって低ワット数に設定してもよい。
【００２７】
いずれの場合も、加熱手段には対応して、ＵＫ特許出願第ＧＢ０８０３３２５．０号明細書に記載されている方法で、ボウルと連絡することができる、例えばサーモスタット素子および熱ヒューズ（いずれも図示省略）を接続する。
【００２８】
本発明構成の第１実施例について、さらに図３〜図８を参考にして説明を進める。これら図には、図１および図２を参考にして説明したタイプのスタンド式ミキサーに適用するのに好適な２部材式安全装置が図示されている。なお、使用時、ボウル６０（図４、図７、図８を参照）は、その底部をボウル支持台３０の凹部３３に載置した状態で、スタンド式ミキサー１０に受け取られることはいうまでもない。既に説明したように、ボウル６０の底部には、それぞれ直径方向に対向する一対のスロットを成形しておく。これらスロットは、スタンド式ミキサー１０のラッチ素子３１、３２と連動して、バヨネット式ラッチ機能を行うように配置および形状を設定しておく。
【００２９】
ボウル６０、または底部領域や下部壁領域などの少なくとも所定の部分は、複数の材料からなるサンドイッチ構成にすることができ、ボウル内部の食材成分への熱伝達を促進することができる。例えば、ボウル全体、あるいはその所定部分を多層構成としてもよく、内外壁および／または底部をステンレス鋼で構成し、その間にアルミニウムを配設することができる。
【００３０】
次に図３について説明すると、本発明の一実施例の構成を対象とする安全装置の第１部材を構成する加熱防止ガード７０を図示している。図３は、使用時には下側になる側面で見た加熱防止ガード７０の側面図である。
【００３１】
例えば、ポリカーボネートなどの透明プラスチック材料で成形した加熱防止ガード７０は、開口７２を設けた本体７１からなる。この開口７２については、図１および図２に示したスタンド式ミキサー１０のギヤボックスカバー４３に締まり嵌めし、このギヤボックスカバー４３に単に開口７２をプレス嵌めするだけで、加熱防止ガード７０を強固ではあるが、取り外し可能にスタンド式ミキサー１０に取り付けることができる形状輪郭で構成する。ゴムシールなどの可撓性シールを開口７２の内壁とギヤボックスカバー４３の外面との間に配設すると、開口壁とギヤボックスカバーとの接触領域から蒸気が漏出することがなくなる。あるいは、自立式ゴムリングを本体７１に取り付けると、開口およびシールの両者を構成することができる。
【００３２】
上記本体７１はさらに、直立Ｕ字形壁７３を支持する。このＵ字形壁は、スタンド式ミキサーの前面を覆い、スタンド式ミキサー１０のヘッド部分４８の前面全周に回り込み、スタンド式ミキサー１０のヘッド部分４８およびここに収容されたギヤ部材などの動作部材を熱、凝縮および考えられる蒸気の侵入から保護する。
【００３３】
上記本体７１には、さらに各種機能を行う特徴部分を形成する。例えば、開口７２周囲の比較的薄い壁７４であるが、この壁は、通常使用時には垂下し、開口７２自体まで延長する内向き部分および上記シールと連動して、必要な弾性を付与するもので、開口７２とスタンド式ミキサー１０のギヤボックスケーシング４３との間の締まり嵌めに必要な剛度を確保するものである。本体７１の後ろ向き端部には、リップ７５および角度のある壁部７６を形成する。リップ７５の形状および角度のある壁７６の傾きについては、蒸気および凝縮物のボウル６０への戻りを促進するように設定する。
【００３４】
本体７１の周囲には、プレス嵌め式弾性シール片７７を設ける。このシール片は、手入れのために取り外せるが、目的は、加熱防止ガード７０および飛散防止ガード８０（後で詳しく説明する）の間をシールすることである。なお、飛散防止ガード８０が、本発明のこの実施態様による安全装置の第２部材を構成する。
【００３５】
また、本体７１にはラッチ手段７８ａおよび７８ｂを設ける。これらがあるため、飛散防止ガード８０を取り外し可能にシールでき、またこれを加熱防止ガード７０にラッチ固定できる。
【００３６】
図４に、スタンド式ミキサー１０の加熱防止ガード７０の動作時の状態を示す。望む場合には、加熱防止ガード７０を単独で（即ち、飛散防止ガード８０なしに）使用できることはいうまでもなく、図４には、第１部材（加熱防止ガード７０）が所定位置に設定された状態では、蒸気がボウル６０から簡単に逃げ出すことができる十分な余地が確保されていることを示す。さらに、加熱防止ガード７０の単独使用時には、ボウル６０に簡単に手を伸ばすことができる。例えば、食材成分を追加できる。
【００３７】
加熱防止ガード７０を所定位置に設定しなくても、加熱機能を除いて、スタンド式ミキサー１０が実行できる全動作を安全に利用できるが、加熱機能を必要とする動作については、加熱防止ガード７０を所定位置に設定しておくことが望ましい。この意味では、以上の本発明の実施態様は、スタンド式ミキサー１０の所定位置に加熱防止ガード７０が正しく設定されていない限り、ヒーターの動作を不能にする安全のための装置を提供するものといえる。この場合、安全のための装置は、スタンド式ミキサー１０のヘッド部分４８内に設けられた磁気動作式リードスイッチ（図示省略）からなり、このスイッチは、従来と同様な方法で本体７１に固着された磁石７９（図５ａ）の存在に応答するものである。このリードスイッチは、直接または間接に、よく知られている方法で使用されるもので、磁石７９が近接したことがこれによって検知されない限り、ヒーターへの給電を中断する作用をもつ。
【００３８】
図５ｂおよび図６に飛散防止ガード８０を示す。この飛散防止ガード８０は、既に説明したように、加熱防止ガード７０に係合するように構成され、そして本発明のこの実施例による安全装置の第２部材を構成するものである。
【００３９】
飛散防止ガード８０は、全体としてＵ字形であり、そして例えばポリカーボネートなどの透明プラスチック材料からなる。また、各種の機能を実行する特徴を備えている。例えば、比較的平坦なリム部分８１であり、これは使用時にボウル６０の上部リム６１に着座し、食材成分が、スタンド式ミキサー１０が実行できる調理プロセス時に、また調理／撹拌プロセス時にボウルから飛び出ることを防止するものである。
【００４０】
飛散防止ガード８０には、また調理プロセス時に無理のない程度に嵩のある食材成分を加えることができる大きな開口になるシュート８２を設ける。シュート８２は、これに対応して、飛散防止ガード８０の本体にヒンジ８４により取り付けたカバーまたはフタ８３を有する。フタ８３は、使用者をシュート８２から出る蒸気から保護する操作上の位置および形状に設定された保護突起体８６を備えたハンドル８５によって持ち上げることができる。さらに、飛散防止ガード８０のシュート８２とは反対側に蒸気排出口８７を設けることができるが、この蒸気排出口は選択部材であり、望ましいかあるいは好ましい場合には、省略することができる。
【００４１】
飛散防止ガードそれ自体は、固定ハンドル８８によって操作でき、固定ハンドルは、これに対応して蒸気シールド８９を備える。シュート８２は、角度のある壁９０内に形成するものであり、その角度については、凝縮物のボウル６０への戻りを促進するように設定する。蒸気排出口８７を配設する場合には、これについても、凝縮物のボウル内部への戻りを促進するように設定する。
【００４２】
Ｕ字形のアームの離れた端部において、飛散防止ガード８０には例えば９１で示す手段を設けるもので、加熱防止ガード７０の本体７１に形成したラッチ手段７８aおよび７８ｂに係合し、第１部材７０および第２部材８０を一時的にラッチする。なお、この場合、図７および図８に示すように、シール片７７は使用中これらの間に位置することになる。
【００４３】
なお、一般的には、本発明の課題は、従来の（一つの部材からなる）飛散防止ガードでは、調理に利用するスタンド式ミキサーの使用時に発生する蒸気および凝縮物に関して使用者が十分な調節をできないという問題を解決することである。特に、従来の一つの部材からなる飛散防止ガードの場合、スタンド式ミキサーを蒸気および凝縮物から十分に保護できない。
【００４４】
この全体的な課題に対処する場合、具体的には、多数の個々の問題に対処することを意味する。例えば、加熱防止ガード７０は、ボウル６０から立ち昇り、次に比較的低温のスタンド式ミキサー部材で凝縮する蒸気が伴う熱および湿気からスタンド式ミキサー１０を保護するものである。さらに、加熱防止ガード７０は、例えば磁石７９および対応するリードスイッチと連動し、使用者が加熱機能を選択した場合にこれに常に対応することを確保する。磁石７９は、本体７１のキャビティ―内に弾性シールおよび超音波溶接プラグによって保持できるため、加熱防止ガード７０が使いやすくなる。
【００４５】
さらに、加熱防止ガード７０については、凝縮物のボウル６０への戻りを促進するとともに、（飛散防止ガード８０を装着していない場合には）必要に応じて使用者が余分な凝縮物を手で拭うことができるように形状を設定する。このため、スタンド式ミキサー１０のヘッドを持ち上げたときに、ボウル６０の外側に付着する凝縮物の量を大幅に減らすことができる。加熱防止ガード７０は、従来の飛散防止ガードと同様に、プレス嵌め係合によってスタンド式ミキサーのギヤボックスのギヤボックスケーシング４３に保持し、そして上記のようにシールするのが好ましい。
【００４６】
さらに、加熱防止ガード７０には、装着時には飛散防止ガード８０をシールし、手入れするために取り外せるプレス嵌め式弾性シール７７を装入する。また、ラッチするだけで飛散防止ガード保持する各種手段を加熱防止ガード７０に設ける。
【００４７】
加熱ガード手段７０は、飛散防止ガード８０の有無にかかわらず使用することができる。飛散防止ガード８０と併用する場合には、これは、フタとともに使用されるソースパンと同じである。飛散防止ガード８０と併用しない場合、これは、フタなしで使用されるソースパンと同じである。
【００４８】
飛散防止ガード８０は、加熱防止ガード７０を装着する場合にのみ使用する。飛散防止ガード８０については、凝縮物のボウル６０への戻りを促進するように形状を設定する。このために、大きな開口をもつ供給シュート８２、ヒンジ式ラッチ供給シュートフタ８３、およびそれぞれ飛散防止ガード８０およびシュートフタ８３に設けられたハンドル（８８、８５）を使用する場合に使用者を高温の蒸気から保護する手段（８９、８６）を組み込む。また、場合にもよるが、蒸気排出口８７も組み込む。この排出口８７を設ける場合には、凝縮物のボウル６０への戻りを促進するように形状を設定する。シュートヒンジ８４についても、凝縮物のボウル６０への戻りを促進するように設計構成する。
【００４９】
主要な部材である加熱防止ガード７０および飛散防止ガード８０は、例えば透明無色ポリカーボネートを利用する射出成型により製作する。主要な部材でありシールおよび磁石シールは、例えばシリコンラバーから製作する。
【００５０】
加熱防止ガード７０および飛散防止ガード８０を併用する場合、図８に示すように、ヘッダーユニット４８がボウル支持台３０から持ち上げられている間、これら両ガードが一体に保持されるように、両ガードをラッチ係合するのが好ましい。なお、飛散防止ガード８０がボウル６０に取り付けられたまま、加熱防止ガード７０のみがヘッダーユニット４８とともに持ち上げられるように構成することも好ましい態様である。
【符号の説明】
【００５１】
１０：スタンド式ミキサー
２０：支持台
３０：ボウル支持台
４３：ギヤボックスカバー
４４：駆動口
６０：混合ボウル
７０：安全装置（加熱防止装置）
７１：本体 
８０：安全装置（飛散防止装置）
８１：リム部分
８２：シュート
【図１】
0005436536.tif 000002
【図２】
0005436536.tif 000003
【図３】
0005436536.tif 000004
【図４】
0005436536.tif 000005
【図５（ａ）】
0005436536.tif 000006
【図５（ｂ）】
0005436536.tif 000007
【図６】
0005436536.tif 000008
【図７】
0005436536.tif 000009
【図８】
0005436536.tif 000010